(57)【要約】【課題】  倉庫等のラックにおいて棚板支持具を容易、かつ、安定して取り付けることができるようにする。【解決手段】  ラックの支柱１１に装着される取り付け部材１２への棚板支持具１の取り付け構造において、取り付け部材１２に取り付け用の係止部１４が突設されるとともに、棚板支持具１に縦方向に長く、かつ、傾斜して位置する係止用穴６が設けられ、係止用穴６に係止部１４が係止されて棚板支持具１が取り付けられる際、係止部１４が傾斜状態の係止用穴６に沿って下方から上方に相対移動して棚板支持具１が斜め方向に下降することで、棚板支持具１がその一部において支柱１１の側面に当接固定される。【選択図】図５
2018122996.tif 000002
【特許請求の範囲】
【請求項１】
ラックの支柱に装着される取り付け部材への棚板支持具の取り付け構造において、
前記取り付け部材に取り付け用の係止部が突設されるとともに、前記棚板支持具に縦方向に長く、かつ、傾斜して位置する係止用穴が設けられ、
前記係止用穴に前記係止部が係止されて前記棚板支持具が取り付けられる際、前記係止部が傾斜状態の前記係止用穴に沿って下方から上方に相対移動して前記棚板支持具が斜め方向に下降することで、前記棚板支持具がその一部において前記支柱の側面に当接固定されることを特徴とする棚板支持具の取り付け構造。
【請求項２】
ラックの支柱に装着される取り付け部材へ着脱可能に取り付けられる棚板支持具において、
吊り下げ係止部と位置決め当接部とが設けられ、
前記位置決め当接部は、当該棚板支持具が非使用時において前記吊り下げ係止部により前記取り付け部材に吊り下げられて前記支柱に沿って収納保管される際に、前記取り付け部材及び又は前記支柱に当接して当該棚板支持具の位置決めを行うものである、
ことを特徴とする棚板支持具。
【発明の詳細な説明】
【技術分野】
【０００１】  この発明は、倉庫等のラックにおいて使用される棚板支持具に関する。
【背景技術】
【０００２】  倉庫内等においてはラックが並設され、その棚板上に多くの物品が載置収納される。通常この種のラックは水平枠と柱とが連結されて立体的に構成され、その水平枠上にパレット形態等の棚板が配置されている。棚板は、例えば、２段に設けられるが、収納物品が小さく高さが無い場合は収納スペースが無駄になり、そのような場合には柱に別途金属製の棚板支持具を取り付け、それに係止するようにして補助的に棚板を設けることで対応している。
【発明の概念】
【発明が解決しようとする課題】
【０００３】  この発明では、容易、かつ、安定して取り付けることができる棚板支持具の取り付け構造を、さらには、非使用時においてラックに安定して収納保管される棚板支持具を提供することを目的とする。
【課題を解決するための手段】
【０００４】  第１の発明（請求項１の発明）では、ラックの支柱に装着される取り付け部材への棚板支持具の取り付け構造において、前記取り付け部材に取り付け用の係止部が突設されるとともに、前記棚板支持具に縦方向に長く、かつ、傾斜して位置する係止用穴が設けられ、前記係止用穴に前記係止部が係止されて前記棚板支持具が取り付けられる際、前記係止部が傾斜状態の前記係止用穴に沿って下方から上方に相対移動して前記棚板支持具が斜め方向に下降することで、前記棚板支持具がその一部において前記支柱の側面に当接固定されることを特徴とする棚板支持具の取り付け構造を提供する。
【０００５】  上記構成によれば、係止用穴が傾斜状態であるので棚板支持具の取り付けに際し棚板支持具が斜め方向に下降することで、棚板支持具がその一部において支柱の側面に当接固定される。これにより、棚板支持具は別途固定部材等を必要とせずに、ガタツクことなく安定して取り付けられる。
【０００６】  第２の発明（請求項２の発明）では、ラックの支柱に装着される取り付け部材へ着脱可能に取り付けられる棚板支持具において、吊り下げ係止部と位置決め当接部とが設けられ、前記位置決め当接部は、当該棚板支持具が非使用時において前記吊り下げ係止部により前記取り付け部材に吊り下げられて前記支柱に沿って収納保管される際に、前記取り付け部材及び又は前記支柱に当接して当該棚板支持具の位置決めを行うものであることを特徴とする棚板支持具を提供する。
【０００７】  上記構成によれば、位置決め当接部が取り付け部材及び又は支柱に当接して棚板支持具の位置決めを行うことで、棚板支持具は非使用時において支柱に沿って納まり良く安定した状態で収納保管される。
【発明の効果】
【０００８】  この発明によれば、棚板支持具を簡略な構成において安定して取り付けることができるようになり、また、非使用時においてラックに安定して収納保管されて便利に使用される棚板支持具が得られる。
【図面の簡単な説明】
【０００９】
【図１】  この発明の棚板支持具の取り付け構造を示す外観斜視図
【図２】  この発明の棚板支持具の取り付け構造を示す分解斜視図
【図３】  この発明の棚板支持具の表面側斜視図
【図４】  この発明の棚板支持具の裏面側斜視図
【図５】  この発明の棚板支持具の取り付け固定説明図
【図６】  この発明の棚板支持具の収納保管状態を示す外観斜視図
【図７】  この発明の棚板支持具の収納保管状態における位置決め説明図
【発明を実施するための形態】
【００１０】  図１は棚板支持具の取り付け構造を示す外観斜視図、図２は同分解斜視図である。１は棚板支持具、１１はラックの支柱、１２は棚板支持具１の取り付け用のクランプであり、支柱１１に装着固定されている。棚板支持具１が支柱１１の適宜の高さに取り付けられることで、ラックの所望の高さ位置に棚板が設置使用される。
【００１１】  棚板支持具１は、図３、図４に示すように、縦方向断面形状がコ字型の鋼材が適宜加工されて形成され、上下縁には相対するように水平部９のそれぞれを備えている。略４５度折り曲げられた一方端部側が取り付け基部２となり他方側が棚板支持部３となっており、棚板支持部３の端部は徐々に細幅となっている。取り付け基部２には２個の係止用穴６が並設されている。係止用穴６のそれぞれは縦方向の長穴で傾斜しており、その下部がクランプ１２面から突出する係止部１４の差し入れ部１５となっている。取り付け基部２の相対する水平部９のそれぞれは切り欠かれることで細幅となっており、その切り欠き加工によって折り曲げ位置近傍には当接角部１０がそれぞれ形成されている。棚板支持部３の略中央位置には切り込み及び折り曲げ加工により裏側に突出する当接片１９が形成され、端部近傍には吊り下げ係止用穴１８が設けられている。
【００１２】  棚板支持具１の取り付けは、取り付け基部２がラックの支柱１１に取り付けられたクランプ１２の側部に外嵌め装着され、その際係止用穴６それぞれの差し入れ部１５からクランプ１２側から突出する頭部が大径となった係止部１４のそれぞれが差し入れられ、棚板支持具１が斜め方向に下降されることで係止用穴６に沿って係止部１４が相対的に上昇して係止用穴６の上部に係止され、これにより棚板支持具１の係止取り付けが行われる。その際、図５に示すように、棚板支持具１がその係止用穴６の方向に沿って斜め方向に下降されることで、棚板支持具１の当接角部１０のそれぞれが支柱１１面に接近して当接固定され、これにより棚板支持具１はガタツクことなく安定して取り付けられる。棚板支持具１上に棚板が置かれて使用される際には当接角部１０それぞれの支柱１１面への当接が強固となって、より安定した状態となる。
【００１３】  図６は非使用時において棚板支持具１をラックの支柱１１に沿って収納保管した状態を示す。棚板支持具１は吊り下げ係止用穴１８がクランプ１２の一方の係止部１４に係止されることで支柱１１の側面に沿って吊り下げられて収納保管される。その際には、図７に示すように、棚板支持部３の端部２１の内側面（位置決め当接部）２１ａとそれに続く水平部９の内側面（位置決め当接部）９ａとがクランプ１２面に当接するとともに、当接片１９の端縁（位置決め当接部）１９ａが支柱１１面に当接する。これにより棚板支持部３の横方向、前後方向への変位が規制され、棚板支持具１は支柱１１の側面に納まり良く安定した状態で収納保管される。
【符号の説明】
【００１６】  １      棚板支持具
２      取り付け基部
３      棚板支持部
６      係止用穴
９ａ    水平部の内側面（位置決め当接部）
１１    支柱
１２    クランプ（取り付け部材）
１４    係止部
１９ａ  端縁（位置決め当接部）
２１ａ  端部の内側面（位置決め当接部）
【図１】
2018122996.tif 000003
【図２】
2018122996.tif 000004
【図３】
2018122996.tif 000005
【図４】
2018122996.tif 000006
【図５】
2018122996.tif 000007
【図６】
2018122996.tif 000008
【図７】
2018122996.tif 000009